(57)【要約】【課題】巻き締め機の缶蓋供給部を試験する際の作業を容易化する手段を提供する。【解決手段】巻き締め機６０は、積層状態の缶蓋２を１枚ずつ分離して缶蓋搬送部３０に供給する缶蓋供給部２０と、缶蓋供給部２０から供給される缶蓋２を缶胴搬送部１０から缶蓋搬送部３０を介して供給される缶胴４に巻き締めによって取り付ける巻き締め部４０とを備える。収集具１００は、巻き締め機６０に設置されて缶蓋供給部２０の試験の際に缶蓋２を収集する。収集具１００は、缶胴２が巻き締め部４０に供給されない状態において缶蓋供給部２０から缶蓋搬送部３０に供給され缶蓋搬送部３０によって搬送され缶蓋搬送部３０から排出される缶蓋２を収集するように構成されている。【選択図】図２
2016123989.tif 000002
【特許請求の範囲】
【請求項１】
積層状態の缶蓋を１枚ずつ分離して缶蓋搬送部に供給する缶蓋供給部と、前記缶蓋供給部から前記缶蓋搬送部を介して供給される缶蓋を缶胴搬送部から供給される缶胴に巻き締めによって取り付ける巻き締め部とを備える巻き締め機に設置されて前記缶蓋供給部の試験の際に缶蓋を収集する収集具であって、
前記収集具は、缶胴が前記巻き締め部に供給されない状態において前記缶蓋供給部から前記缶蓋搬送部に供給され前記缶蓋搬送部によって搬送され前記缶蓋搬送部から排出される缶蓋を収集するように構成されている、
ことを特徴とする収集具。
【請求項２】
前記缶蓋搬送部によって搬送され前記缶蓋搬送部から排出される缶蓋をガイドするガイド部と、
前記ガイド部によってガイドされながら移動してきた缶蓋を捕集する捕集部と、
を有することを特徴とする請求項１に記載の収集具。
【請求項３】
前記捕集部は、缶蓋を保持する保持部と、前記ガイド部によってガイドされながら移動してきた缶蓋を受け止めて前記保持部に落下させる受け止め部とを含む、
ことを特徴とする請求項２に記載の収集具。
【請求項４】
前記ガイド部を前記巻き締め機に固定する固定部を更に備える、
ことを特徴とする請求項２又は３に記載の収集具。
【請求項５】
前記固定部は、前記缶胴搬送部に前記ガイド部を固定するように構成されている、
ことを特徴とする請求項４に記載の収集具。
【請求項６】
前記捕集部は、前記ガイド部によってガイドされながら移動してきた缶蓋を整列状態で捕集する、
ことを特徴とする請求項２に記載の収集具。
【発明の詳細な説明】
【技術分野】
【０００１】
本発明は、缶蓋を缶胴に巻き締めによって取り付ける巻き締め機の技術分野に関する。
【背景技術】
【０００２】
ビール等のアルコール飲料や清涼飲料などの飲料を収容する缶として、缶胴に対して缶蓋を巻き締めによって取り付けた缶がある。このような缶を使った飲料の包装工程は、充填機によって缶胴に飲料を充填する充填工程と、その缶胴に巻き締めによって缶蓋を取り付ける巻き締め工程とを含む。巻き締め工程では、巻き締め機（シーマー）が使われる。巻き締め機は、積層状態の缶蓋を１枚ずつ分離して缶蓋搬送部に供給する缶蓋供給部と、缶蓋供給部から供給される缶蓋を缶胴搬送部から供給される缶胴に巻き締めによって取り付ける巻き締め部とを有する。
【先行技術文献】
【特許文献】
【０００３】
【特許文献１】特開２００８−３０８３１０号公報
【発明の概要】
【発明が解決しようとする課題】
【０００４】
缶蓋供給部の保守作業を行った後は、缶蓋供給部が正常に動作することを確認する必要がある。この確認の作業の１つとして、缶蓋供給部から巻き締め部に供給される缶蓋を検査する作業がある。缶蓋供給部から供給される缶蓋は、巻き締め部に缶胴を供給しないで巻き締め機を運転した場合に、缶蓋搬送部から巻き締め機の外部に排出される。そこで、缶蓋の検査は、巻き締め部に缶胴を供給しないで巻き締め機を運転し、この状態で缶蓋搬送部から巻き締め機の外部に排出される缶蓋を収集することによってなされうる。
【０００５】
しかしながら、巻き締め機を高速運転した状態で巻き締め機の外部に排出される缶蓋は相当な速度をもっており、これが作業者に当たることは危険である。また、巻き締め機の外部に排出される缶蓋をそれが床などに落下した後に拾い集めることは面倒である。
【０００６】
本発明は、上記の課題認識を契機としてなされたものであり、巻き締め機の缶蓋供給部を試験する際の作業を容易化する手段を提供することを目的とする。
【課題を解決するための手段】
【０００７】
本発明の１つの側面は、積層状態の缶蓋を１枚ずつ分離して缶蓋搬送部に供給する缶蓋供給部と、前記缶蓋供給部から前記缶蓋搬送部を介して供給される缶蓋を缶胴搬送部から供給される缶胴に巻き締めによって取り付ける巻き締め部とを備える巻き締め機に設置されて前記缶蓋供給部の試験の際に缶蓋を収集する収集具であって、前記収集具は、缶胴が前記巻き締め部に供給されない状態において前記缶蓋供給部から前記缶蓋搬送部に供給され前記缶蓋搬送部によって搬送され前記缶蓋搬送部から排出される缶蓋を収集するように構成されている。
【発明の効果】
【０００８】
本発明によれば、巻き締め機の缶蓋供給部を試験する際の作業を容易化する手段が提供される。
【図面の簡単な説明】
【０００９】
【図１】本発明の１つの実施形態の収集具が適用されうる巻き締め機の構成が模式的に示された図。
【図２】保守作業が行われた缶蓋供給部の試験を行う様子が模式的に示された図。
【図３】収集具の構成例を示す図。
【図４】収集具の変形例を示す図。
【図５】缶蓋供給部の構成を模式的に示す図。
【発明を実施するための形態】
【００１０】
以下、添付図面を参照しながら本発明をその例示的な実施形態を通して説明する。
【００１１】
図１には、本発明の１つの実施形態の収集具が適用されうる巻き締め機６０の構成が模式的に示されている。巻き締め機６０は、積層状態の缶蓋２を１枚ずつ分離して缶蓋搬送部（キャンフィードターレット）３０に供給する缶蓋供給部（カバースタック）２０と、缶蓋供給部２０から缶蓋搬送部３０を介して供給される缶蓋２を缶胴搬送部１０から供給される缶胴４に巻き締めによって取り付ける巻き締め部（ハーフモールドターレット）４０とを備える。
【００１２】
図５に模式的に示されるように、缶蓋供給部２０は、例えば、放射状に配列された３つのセパレータロール２２を有し、セパレータロール２２の溝に缶蓋２を係合させることによって積層状態の缶蓋２から１枚ずつ缶蓋２を分離して下方に搬送し、円弧状の搬送路３２を有する缶蓋搬送部３０に供給する。缶蓋搬送部３０は、円弧状の搬送路３２を規定するガイド部材（カバーガイドレール）３４を有しうる。
【００１３】
図１に戻って説明を続ける。不図示の充填機によって飲料が充填された缶胴４は、缶胴搬送部１０によって巻き締め機６０に供給される。缶蓋搬送部３０によって搬送された缶蓋２は、巻き締め部４０において、胴搬送部１０から供給される缶胴４に対して、巻き締めによって取り付けられる。缶蓋２が缶胴４に取り付けられて形成された缶３は、スターホイール（ディスチャージターレット）５０によって巻き締め機６０から搬送装置５２に排出される。なお、図１において、缶胴４に缶蓋２が乗せられた状態、缶蓋２を缶胴４に巻き締めている状態、および、巻き締めが終了した状態の缶胴４および缶蓋２が缶３として記載されている。
【００１４】
図２には、保守作業が行われた缶蓋供給部２０の試験を行う様子が模式的に示されている。この試験の際に、巻き締め機６０に設置されて缶蓋供給部２０から供給された缶蓋２を収集する収集具１００が使用される。収集具１００は、缶胴４が巻き締め部６０に供給されない状態において缶蓋供給部２０から缶蓋搬送部３０に供給され缶蓋搬送部３０によって搬送され缶蓋搬送部３０から排出される缶蓋２を収集するように構成されている。
【００１５】
図２および図３に例示されるように、収集具１００は、缶蓋搬送部３０によって搬送され缶蓋搬送部３０から排出される缶蓋２をガイドするガイド部１１０と、ガイド部１１０によってガイドされながら移動してきた缶蓋２を捕集する捕集部１３０とを有しうる。捕集部１３０は、缶蓋２を保持する保持部１３０と、ガイド部１１０によってガイドされながら移動してきた缶蓋２を受け止めて保持部１３０に落下させる受け止め部１３２とを含みうる。収集具１００は、更に、ガイド部１１０を巻き締め機６０の所定部分、例えば、缶胴搬送部１０の一部であるカバー部材１２に固定する固定部１２０を備えうる。
【００１６】
巻き締め機６０を高速運転した状態で巻き締め機６０の外部に排出される缶蓋２は相当な速度をもっており、これが作業者に当たることは危険である。また、巻き締め機６０の外部に排出される缶蓋２をそれが床などに落下した後に拾い集めることは面倒である。一方、収取具１００を巻き締め機６０に設置し収集具１００によって缶蓋２を収集する方法によれば、安全に、しかも手間をかけることなく、缶蓋２を収集することができる。
【００１７】
図４には、収集具１００の変形例が示されている。図４に例示される収集具１００は、ガイド部１１０によってガイドされながら移動してきた缶蓋２を整列状態で捕集するように捕集部１３０が構成されている。捕集部１３０は、缶蓋２をガイドし、缶蓋２をその表側の面（缶胴４に取り付けられた状態で表側になる面）が一定の向き（例えば、下向き）に向いた状態で排出するガイド部材１３６と、ガイド部材１３６から排出される缶蓋２を保持する保持部１３４とを含みうる。図４に示された例では、ガイド部１１０から排出される缶蓋２は、表側の面が上を向いているが、ガイド１３６を通っている間に、表側の面が下を向くように向きが変更され、保持部１３４に排出される。この変形例によれば、缶蓋２が整列状態で捕集されるので、その後の缶蓋２の検査作業が容易である。
【符号の説明】
【００１８】
１：缶蓋、４：缶胴、３：缶、１０：缶胴搬送部、１２：カバー部材、２０：缶蓋供給部（カバースタック）、３０：缶蓋搬送部（キャンフィードターレット）、３２：搬送路、３４：ガイド部材（カバーガイドレール）、４０：巻き締め部（ハーフモールドターレット）、５０：スターホイール（ディスチャージターレット）、５２：搬送装置、６０：巻き締め機、１００：収集具、１１０：ガイド部材、１２０：固定部、１３０：捕集部、１３２：受け止め部、１３４：保持部、１３６：ガイド部材
【図１】
2016123989.tif 000003
【図２】
2016123989.tif 000004
【図３】
2016123989.tif 000005
【図４】
2016123989.tif 000006
【図５】
2016123989.tif 000007